(57)【特許請求の範囲】
【請求項１】
網膜疾患を処置するためのスケジュールを作成する網膜処置スケジュール作成装置において、
入力手段によって入力された検査日毎の患者眼網膜の測定データに基づいて測定データに関する時系列データを取得し、該時系列データにおける測定データの変化特性に基づいて将来の測定データに関する時系列データを推定情報として取得する推定情報取得手段と、
推定情報取得手段によって取得された推定情報における測定データが，次回の適正治療時期を出力するために設定された所定の許容条件を満たす時期を算出する演算手段と、
前記演算手段による算出結果に基づいて、次回の適正治療時期を表示部に表示する表示制御手段と、
を備えることを特徴とする網膜処置スケジュール作成装置。
【請求項２】
網膜処置スケジュール作成装置は、網膜疾患に対する治療薬の投薬スケジュールを作成するための装置であって、
入力手段は、患者眼に対して治療薬が投薬される前から光干渉断層計によって検査された患者眼網膜の網膜厚データ、網膜厚データを得た検査日を入力する入力手段であって、
ガイド情報取得手段は、時系列データにおける網膜厚データの変化特性に基づいて将来の網膜厚データに関する時系列データを推定情報として取得し、
前記演算手段は、推定情報取得手段によって取得された推定情報における網膜厚データが、次回の適正投薬時期を出力するために設定された所定の許容条件を満たす時期を算出し、
前記表示制御手段は、前記演算手段による算出結果に基づいて、次回の適正投薬時期を表示部に表示する請求項１の網膜処置スケジュール作成装置。
【請求項３】
前記所定の許容条件は、上限値と下限値が設定され、
前記演算手段は、前記測定データが上限値から下限値の間に達している時期を算出することを特徴とする請求項２の網膜処置スケジュール作成装置。
【請求項４】
前記表示制御手段は、測定データに関する時系列データを示す時系列グラフと共に、前記次回の適正治療時期を示すグラフィック又は文字情報を表示することを特徴とする請求項１の網膜処置スケジュール作成装置。
【請求項５】
網膜疾患を処置するためのスケジュールを作成するためにコンピュータを、
検査日毎の測定データに基づいて患者眼網膜の測定データに関する時系列データを取得し、該時系列データにおける測定データの変化特性に基づいて将来の測定データに関する時系列データを推定情報として取得する推定情報取得手段と、
推定情報取得手段によって取得された推定情報における測定データが、次回の適正治療時期を出力するために設定された所定の許容条件を満たす時期を算出する演算手段と、
前記演算手段による算出結果に基づいて、次回の適正治療時期を表示部に表示する表示制御手段と、
として機能させることを特徴とする網膜処置スケジュール作成プログラム。
【発明の詳細な説明】
【技術分野】
【０００１】
網膜疾患を処置するためのスケジュールを作成する網膜処置スケジュール作成装置、及び網膜処置スケジュール作成プログラムに関する。
【背景技術】
【０００２】
眼の網膜の病気として、加齢性黄斑変性症（ＡＭＤ）、緑内障が知られており、これらの病気の進行は、眼の視力低下、ひいては失明を招くリスクがあるため、投薬、レーザ治療、などの処置がなされている。
【０００３】
例えば、加齢性黄斑変性症は、脈絡膜の血管新生が視力障害を及ぼす病気であり、従来では、レーザ光凝固を用いて血管を閉塞させる処置が一般的であったが、近年では、経瞳孔温熱療法（ＴＴＴ）、光学力学的療法（ＰＤＴ）などの処置がなされている。また、投薬を用いた処置も行われており、例えば、抗ＶＥＧＦ中和抗体は、眼内血管新生を抑制するために用いられる（例えば、特許文献１参照）。
【先行技術文献】
【特許文献】
【０００４】
【特許文献１】特開２００４−５１２３７８号公報
【発明の概要】
【発明が解決しようとする課題】
【０００５】
しかしながら、上記のような処置による効果は、個人差があるため、次の処置タイミングを把握することは、難しい。特に、投薬処置の場合、完治は難しく、対処療法的に、継続的に投薬を行う必要があり、薬の効き具合に合わせて投薬を行うことが望まれる。また、薬の効果より短いスパンでの投薬は、過度の投薬になってしまう。
【０００６】
本発明は、患者の個人差に応じて、適切な処置スケジュールを設定できる眼科処置スケジュール作成装置、網膜処置スケジュール作成プログラムを提供することを技術課題とする。
【課題を解決するための手段】
【０００７】
上記課題を解決するために、本発明は以下のような構成を備えることを特徴とする。
【０００８】
（１）
網膜疾患を処置するためのスケジュールを作成する網膜処置スケジュール作成装置において、
入力手段によって入力された検査日毎の患者眼網膜の測定データに基づいて測定データに関する時系列データを取得し、該時系列データにおける測定データの変化特性に基づいて将来の測定データに関する時系列データを推定情報として取得する推定情報取得手段と、
推定情報取得手段によって取得された推定情報における測定データが，次回の適正治療時期を出力するために設定された所定の許容条件を満たす時期を算出する演算手段と、
前記演算手段による算出結果に基づいて、次回の適正治療時期を表示部に表示する表示制御手段と、
を備えることを特徴とする。
（２）
網膜疾患を処置するためのスケジュールを作成するためにコンピュータを、
検査日毎の測定データに基づいて患者眼網膜の測定データに関する時系列データを取得し、該時系列データにおける測定データの変化特性に基づいて将来の測定データに関する時系列データを推定情報として取得する推定情報取得手段と、
推定情報取得手段によって取得された推定情報における測定データが、次回の適正治療時期を出力するために設定された所定の許容条件を満たす時期を算出する演算手段と、
前記演算手段による算出結果に基づいて、次回の適正治療時期を表示部に表示する表示制御手段と、
として機能させることを特徴とする。
【発明の効果】
【０００９】
患者の個人差に応じて、適切な処置スケジュールを設定できる。
【発明を実施するための形態】
【００１０】
実施形態に係る網膜処置スケジュール作成装置について説明する。図１は本実施形態における網膜処置スケジュール作成装置の構成について説明する概略構成図である。
【００１１】
実施形態の装置は、入力部４、ＣＰＵ２０、表示部（出力部）１を備える。入力部４から、患者眼に対して治療が施される前から眼科検査装置（例えば、光干渉断層計１００）によって検査された患者眼網膜の検査データ、患者眼識別データ、次回の治療時期を特定するための検査データに関する所定の許容条件、等が入力される。
【００１２】
ＣＰＵ２０によって実現される機能は、推定情報取得とガイド情報取得に区分される。推定情報の取得に関して、ＣＰＵ２０は、入力部４によって入力された検査日毎の測定データに基づいて測定データに関する時系列データを取得する。そして、ＣＰＵ２０は、時系列データにおける測定データの変化特性に基づいて将来の測定データに関する時系列データを推定情報として取得する（図３、図４、図５参照）。
【００１３】
ガイド情報の取得に関して、ＣＰＵ２０は、推定情報取得機能によって取得された推定情報において測定データが所定の許容条件を満たす時期を特定する。そして、ＣＰＵ２０は、次回の治療時期を検者にガイド情報として出力するためのガイド情報を得る。表示部１は、ガイド情報取得機能によって取得されたガイド情報を出力する（図３、図４、図５参照）。
【００１４】
実施形態の装置は、例えば、網膜疾患に対する治療薬の投薬スケジュールを作成するための装置であって、入力部４から、患者眼に対して治療薬が投薬される前から光干渉断層計１００によって検査された患者眼網膜の網膜厚データ、網膜厚データを得た検査日が入力される。
【００１５】
ＣＰＵ２０は、時系列データにおける網膜厚データの変化特性に基づいて将来の網膜厚データに関する時系列データを推定情報として取得する。そして、ＣＰＵ２０は、取得された推定情報において網膜厚データが前記所定の許容条件を満たす時期を特定する。そして、ＣＰＵ２０は、次回の投薬時期を検者にガイド情報として出力するためのガイド情報を得る。
【００１６】
また、ＣＰＵ２０は、時系列データをグラフとして表示部１に出力させるように表示部１を制御する。ＣＰＵ２０は、取得された将来の時系列データをグラフに付加して表示する。
【００１７】
実施形態の装置は、例えば、加齢黄斑変性に対する治療薬の投薬スケジュールを作成するための装置であって、ＣＰＵ２０は、患者眼に対して治療が施された以後に網膜厚データが上昇に転じた後の網膜厚データの上昇度合に基づいて将来の網膜厚データに関する時系列データを推定情報として取得する（図３、図４参照）。
【００１８】
実施形態の装置は、例えば、緑内障に対する治療薬の投薬スケジュールを作成するための装置であって、ＣＰＵ２０は、患者眼に対して治療が施された以後に網膜厚データが下降に転じた後の網膜厚データの減少度合に基づいて将来の網膜厚データに関する時系列データを推定情報として取得する（図５参照）。
【００１９】
上記実施形態の装置において、入力部４には、さらに、網膜厚データとは異なる第２検査データと、第２検査データを得た検査日が入力される。第２検査データとしては、例えば、視力検査装置によって得られた患者眼の視力データ、視野計によって得られた患者眼の視野検査データ、眼圧計によって得られた患者眼の眼圧データの少なくともいずれかが考えられる。
【００２０】
ＣＰＵ２０は、時系列データにおける網膜厚データと第２検査データの変化特性とに基づいて将来の網膜厚データ及び第２検査データに関する時系列データを推定情報として取得する。そして、ＣＰＵ２０は、推定情報において網膜厚データ及び第２検査データのいずれかが所定の許容条件を満たす時期を特定することにより、次回の治療時期を検者にガイド情報として出力するためのガイド情報を得る。
【実施例】
【００２１】
以下、図面に沿って、本発明の実施例を具体的に説明する。
＜実施例１＞
以下の実施例では、加齢黄斑変性症（以下、ＡＭＤ）を処置するためのスケジュールを作成する網膜処置スケジュール作成装置を例にとって説明する。
【００２２】
本実施例は、網膜処置スケジュール作成装置（以下、作成装置）が、記憶装置に記憶された網膜厚の経時的変化情報に基づき、ある患者眼に対する次回の処置のタイミングを推定し、この推定結果に基づき処理スケジュールを作成する。
【００２３】
図１は、実施例に係る作成装置の構成を示すブロック図である。図１に示すように、作成装置は、この作成装置全体の制御を行うＣＰＵ（Central Processing Unit）２０、メモリ４０と、記憶装置３０と、表示部１と、入力部４と、を含んで構成される。
【００２４】
記憶装置３０は、経過情報記憶部３と、処置情報記憶部１２、正常眼データベース１５、とを含み、所定領域にＡＭＤの処置スケジュール作成用プログラムを記憶し、例えば、ハードディスク等から構成される。
【００２５】
表示部１は、モニタ等から構成され、ＣＰＵ２０で作成された処置スケジュール、網膜厚の経時的変化情報、等を表示する。入力部４は、キーボードやマウス等から構成され、作成装置のユーザ（使用者）が各種情報の入力を行うための構成である。
【００２６】
本実施例の作成装置は、例えば、コンピュータであり、ＣＰＵ２０は、メモリ４０上に前述のスケジュール作成用プログラムを読み出した後、各種演算処理を行うことによりプログラムを実行する。
【００２７】
図２は、図１のＣＰＵ２０がスケジュール作成用プログラムを実行することにより実現される機能をブロック展開して説明した図である。
【００２８】
図２に示すように、ＣＰＵ２０によって実現される機能は、経時的変化情報作成部５、処置タイミング推定部６、処置スケジュール作成部７、画像作成手段８、に区分される。これらの構成の機能の詳細は、図３を用いて後記する。
【００２９】
図１の経過情報記憶部３には、例えば、光干渉断層計１００を用いた眼底の経過観察によって取得された網膜厚の経時的変化情報が格納される。経時的変化情報は、ＡＭＤの処置が施される被検者、すなわち検査を受ける被検者毎に、検査日時、各検査日時における網膜厚を示したデータである。記憶部３は、上記他、網膜厚の測定に基となった断層画像、網膜厚データに基づく網膜厚マップ（例えば、厚みマップ）、等を記憶する。このデータは、適宜、画像作成手段８によって画像データに変換され、表示部１を介してユーザに画面提示される。
【００３０】
処置スケジュール記憶部１２には、例えば、加齢黄斑変性症（以下、ＡＭＤ）を処置するための処置スケジュールが格納される。この処置スケジュールは、被検者毎に、既に行われた処置の日時、各処置日時で行われた処置の種類（例えば、投薬、光凝固、ＴＴＴ、ＰＤＴ、等）、今後の処置タイミングと処置の種類が格納される。
【００３１】
正常眼データベース１５には、例えば、多数の患者眼の検査結果と処方結果を基に、網膜厚に対するＡＭＤの進行度を示すデータベースが記憶されている。このデータベースは、例えば、例えば、患者眼の網膜厚に関し、ＡＭＤが悪化段階と判定される網膜厚の範囲、ＡＭＤが小康状態から悪化段階への移行段階と判定される網膜厚の範囲、ＡＭＤが小康状態と判定される網膜厚の範囲に区分したテーブルを持つ。テーブルは、網膜厚をベースに適正投薬時期ＰＴを算出するために用いられる。
【００３２】
光断層干渉計（ＯＣＴ）１００は、被検眼の網膜厚情報を取得する装置である。光断層干渉計１００は、光源から出射された光をカップラーによって測定光と参照光に分割する。そして、光断層干渉計１００は、測定光を眼Ｅの眼底Ｅｆに導き，参照光を参照光学系に導く。その後、眼底Ｅｆによって反射された測定光と，参照光との合成による干渉光を検出器（受光素子）に受光させる。検出器は、測定光と参照光との干渉状態を検出する。フーリエドメインＯＣＴの場合では、干渉光のスペクトル強度が検出器によって検出され、スペクトル強度データに対するフーリエ変換によって所定範囲における深さプロファイルが取得される。例えば、SpectrＡl-domＡin OCT（ＡＤ−ＯＣＴ）、Swept-source OCT（ＳＳ−ＯＣＴ）が挙げられる。また、Time-domＡin OCT（ＴＤ−ＯＣＴ）であってもよい。
【００３３】
光断層干渉計１００は、検出器からの出力信号に基づいて眼底Ｅｆの断層像を得る。光断層干渉計１００は、取得された断層画像を処理することにより、眼底Ｅｆの網膜厚を測定する。網膜厚として、例えば、視神経線維層（NFL）の厚み、神経線維層（NFL）〜網膜色素上皮層（RPE）までの厚みが取得される。ＡＭＤの進行度を計測するため、例えば、網膜中心の神経線維層の厚みが経過観察される。もちろん二次元的な網膜厚情報（厚みマップ）が経過観察されてもよい。取得された網膜厚情報は、ＣＰＵ２０に送られ記憶部３に記憶される。その他、記憶部３には、光干渉断層計１００によって得られた画像情報（眼Ｅの断層画像、正面画像等）、厚み情報に基づいて算出された各種パラメータなどが記憶される。
【００３４】
光干渉断層計１００によって定期的に検査が行われると、経過観察の結果として検査日時の異なる網膜厚情報は、ＣＰＵ２０に送られた後、記憶部３に記憶される。記憶部３に記憶された網膜厚情報は、経過観察のため、時間軸に関連付けて記憶される。時間を関数とする網膜厚情報は、網膜厚の経時的変化を示す。例えば、網膜厚情報は、最初の投薬開始日を基準として記憶される。
【００３５】
投薬及び定期検査の実施間隔は、１ヶ月毎が一般的である。例えば、各月毎に網膜厚情報が記憶される。経時的変化情報は、図３のようなグラフ、テーブルとして表示部１に出力される。
【００３６】
処置スケジュールを作成するための処置情報（例えば、患者眼Ｅに対して施された処置の種類、処置日時など）は、入力部４を介して記憶部１２に記憶される。処置情報の入力は、表示部１上の種類／日時へのプルダウン等によって選択する構成、キーボード等を用いた直接入力が考えられる。処置情報は、図３のようなグラフ、テーブルとして表示部１に出力される。
【００３７】
記憶装置３０には、入力部４を介して、眼Ｅの病態情報（例えば、病名、進行度など）が記憶される。病態情報には、医者によって診断された病名の他、他の装置によって得られた検査情報（例えば、視力検査結果、視野検査結果、眼底カメラでの撮影画像、等）が含まれる。病態情報には、複数の装置での検査結果によって総合的に得られた病気の進行度が含まれる。
【００３８】
図３は、図１の表示部によって表示されるグラフを例示した図であり、このグラフでは、網膜厚の経時的変化情報と処置スケジュールが同一グラフ上に示されている。本グラフは折れ線グラフであるけれども、グラフの種類は、これに限定されない。
【００３９】
ＣＰＵ２０は、記憶部３に記憶された網膜厚情報に基づき，網膜厚情報に関するグラフィックＧ１を表示部１上に表示する。グラフィックＧ１は、横軸が日時であり、縦軸が網膜厚のグラフであり、検査日時毎の同一被検眼の同じ眼底位置における網膜厚の変化を表す。
【００４０】
ＣＰＵ２０は、記憶部１２に記憶された処理情報に基づき，処置情報に関するグラフィックＳ１、Ｓ２を表示部１上に表示する。グラフィックＳ１は、グラフィックＧ１上に表示され、処置日及び各処置日での処置の種類を示す。マーカーＳ１Ａは、既に行われた投薬のタイミングを示す。グラフィックＳ２は、処置の詳細情報（例えば、治療薬の名前、手術の術式など）を示す。
【００４１】
好ましくは、ＣＰＵ２０は、処置の種類を判別できるような表示パターンにてグラフィックＳ１を表示する。具体的には、グラフィックＳ１は、処置毎に異なる色で表示され、その一例として、投薬が青、光凝固が赤、ＰＰＴが黄色、ＴＴＴがピンクにて表現される。ＣＰＵ２０は、投薬の表示に関して、処方される薬の種類を判別できるような表示パターンにてグラフィックＳ１を表示してもよい。
【００４２】
ＣＰＵ２０は、記憶装置３０に記憶された病態情報に基づき，病態情報に関するグラフィックＳ３を表示部１上に表示する。グラフィックＳ３は、例えば、眼Ｅの病名を示す。ＣＰＵ２０は、記憶部３に記憶された画像情報に基づく眼Ｅの画像データ（例えば、断層画像）Ｓ４、記憶部３に記憶された網膜厚マップ（例えば、厚みマップ）Ｓ５を表示部１上に表示する。
【００４３】
以下に、ＡＭＤ治療薬を患者眼に継続的に投薬する場合を例にとって説明する。横軸上におけるＯＭは、初めにＡＭＤ治療薬が投薬された日に対応する。プロットＰ０は、投薬開始より前に光干渉断層計１００によって計測された網膜厚を示す。
【００４４】
ＡＭＤの進行によって、新生血管は、網膜と網膜色素上皮層の間へと侵入する。新生血管は、正常の血管と異なり血管の成分を漏出させた後、血管自体が破れる。血液成分が漏出すると、網膜は腫れたり（網膜浮腫）、網膜下に液体が溜まる（網膜下液）。そのため、網膜が正しく働かなくなり、視力が低下する。そして、血管が破れると出血となり網膜を障害する。
【００４５】
ＡＭＤ治療薬は、１〜６ヶ月毎に投与される。網膜は、ＡＭＤにより発生した新生血管によって膨れた状態となる。薬の投与後、網膜は徐々に収縮していき、網膜は、元の形状に向かう。しかしながら、一定期間の経過によって薬の効用が弱まってくると、新生血管が網膜に再度進入し、網膜は再度膨らむ。ＯＣＴ１００によって網膜の膨張・収縮が経時的に測定された結果、測定結果を示すグラフィックＧ１が表示部１上に表示される。
【００４６】
一般的に、網膜の膨張は、視力（ＶＡ：Visual Acuity）と因果関係を持つと言われている。網膜が膨張した状態から元の状態に戻るのに伴い、視力が改善される。一方、網膜が元の状態から膨張した状態に戻るのに伴い、視力が悪化される。
【００４７】
＜投薬後の網膜厚＞  投薬前の段階（０Ｍより左側）では、網膜厚は、ＡＭＤの影響により膨張した状態である。ＡＭＤ治療薬が患者に投薬されると、網膜厚は、一定期間（図３では４ヶ月間）、比例的に収縮していく。時間の経過につれて、網膜厚は、徐々に縮小していく。この間において、治療薬の作用が患者に対して有効に働いている。治療薬の効き目は、個人差があるため、網膜収縮期間ＳＴ（図３参照）は、被検者に応じて変化する。その他、ＡＭＤからの回復が進んだ結果、網膜厚が一定の厚さを持続する場合がありうる。投薬の効き目が弱く、網膜厚がほとんど縮小しない場合も有りうる。
【００４８】
図４は、ＡＭＤ治療薬を投薬した後の網膜厚の変化に関するパターンを示す図である。図４（ａ）は平均的な治療効果を得た場合の一例を示す図であり、図４（ｂ）は治療薬の効果が比較的短い場合の一例を示す図であり、図４（ｃ）は網膜が安定的に縮小状態に入った場合の一例を示す図である。
【００４９】
＜網膜の再膨張＞  治療薬の効き目が弱まってくると、網膜の収縮傾向が終了し、その後、膨張傾向に転じる。図３中の転換点Ｂは、網膜厚の変化が縮小傾向から膨張傾向に転じたタイミングを示している。
【００５０】
膨張傾向に転じた患者眼に関して、時間の経過に応じて、網膜が徐々に膨れていく。膨張傾向への転換後、網膜厚は、一定の期間を経て、投薬前の網膜厚に戻ってしまう。再度の投薬がなければ、ＡＭＤの症状が悪化し、網膜は、さらに、膨らんでいく。
【００５１】
＜再投薬タイミングの推定処理＞
概して、ＣＰＵ２０は、記憶部３に記憶された網膜厚の変化情報と記憶部５に記憶された処置情報に基づいて、ＡＭＤ治療薬の再投薬のタイミングを推定し、その推定結果を出力する。
【００５２】
例えば、ＣＰＵ２０は、後の網膜厚の変化を推測するため、転換点Ｂから現在までの網膜厚の変化曲線を近似処理することにより，転換点Ｂから将来のある時点（例えば、３ヶ月後）までの網膜厚の近似曲線を求める（図３の点線Ｋ参照）。ＣＰＵ２０は、取得された近似曲線において，推定網膜厚が許容範囲Ａ１を満たす適正投薬時期ＰＴを求める。
【００５３】
＜適正投薬時期ＰＴ＞
許容範囲Ａ１は、例えば、以下のように設定される。ＣＰＵ２０は、許容範囲Ａ１の上限値Ａｕ、下限値Ａｄを設定するため、正常眼データベース１５を参照する。適正投薬時期ＰＴは、ＡＭＤの症状が悪化する前段階であることが好ましく、網膜厚が所定の上限値を下回っているレベルに対応する時期であることが好ましい。さらに、好ましくは、ＡＭＤの症状が安定的と診断されるレベルに対応する時期であることが好ましい。
【００５４】
例えば、許容範囲Ａ１の上限値Ａｕは、ＡＭＤの症状が悪化段階に移行する前段階であって、かつ、投薬が必要とされる網膜厚の上限値に対応するように設定される。
【００５５】
例えば、悪化段階は、新生血管の進行、視力の悪化などが再び進行することによって、処方前の段階に戻った状態を目安とする。したがって、網膜厚が上限値Ａｕを超えた場合、ＡＭＤは悪化段階に入ったとみなされる。網膜厚が上限値Ａｕを下回る場合、網膜厚は、ＡＭＤの悪化段階の前段階である。
【００５６】
許容範囲Ａ１の下限値Ａｄは、ＡＭＤの症状が悪化段階に移行するより一定期間前段階であって、かつ、投薬が必要とされる網膜厚の下限値に対応するように設定される。網膜厚が下限値Ａｄを下回っている場合、網膜厚がほぼ正常であるため、治療薬の効果が十分に継続しているとみなされる。この段階において、ＡＭＤは小康状態にある。この段階での投薬は、必ずしも必要ではなく、過度の投薬となってしまう可能性があるため、投薬は控えた方が好ましい。
【００５７】
網膜厚が許容範囲Ａ１を満たす場合、治療薬の効果が弱まることにより、網膜厚は、異常値に近い状態にある。ＡＭＤは、悪化の前段階であり、かつ、近いうちに悪化段階に移行する可能性が高いとみなされる。
【００５８】
ＣＰＵ２０は、前述のように算出された近似曲線を用いて、推定網膜厚が許容範囲Ａ１を満たす期間を投薬適正時期ＰＴとして設定する。ＣＰＵ２０は、推定された適正投薬時期を示すグラフィックＰＴＧをグラフィックＧ１上に表示すると共に、適正投薬時期を示す文字情報Ｓ６を表示部１に表示する。文字情報Ｓ６は、例えば、投薬が好ましいとされる日、又は期間（例えば、＊＊月＊＊日〜＊＊月＊＊日）を示す。これらは、グラフィック・文字表示は、逆に、投薬が好ましくない時期を表示することにより間接的に適正時期を示してもよい。
【００５９】
グラフィックＰＴＧに関して、転換点Ｂ以降、推定網膜厚が下限値Ａｄに達する第１時期ＰＴ１は、適正投薬時期ＰＴの初日として表示される。推定網膜厚が上限値Ａｕに達する第２時期ＰＴ２は、適正投薬時期ＰＴの最終日として表示される。第１時期ＰＴ１から第２時期ＰＴ２までの期間が、投薬適正時期ＰＴとして示される。
【００６０】
検者は、表示部１に表示されたグラフィックＰＴ、文字情報Ｓ６を参考に、患者に対して次回の投薬タイミングを勧めることができる。このようなシステムは、患者によって治療効果にバラツキがあり、投薬時期の予測が難しい状況において、患者にとっての適正な時期にＡＭＤ治療薬を投薬するために活用できるため、投薬時期の遅れ、投薬時期の早すぎを回避するための補助機能として用いられる。
【００６１】
なお、上記説明において、許容範囲Ａ１は、データベース１５において予め記憶された構成であってもよい。設定範囲Ｓは、入力部４を介して、検者が予め設定できる構成であってもよい。
【００６２】
なお、投薬適正時期の表示について、上記手法に限定されない。例えば、表示部１にカレンダーを表示し、カレンダーの中に適正投薬期間ＰＴＧを挿入して表示するようにしてもよい。
【００６３】
なお、以上の説明においては、推定された網膜厚に基づいて再投薬のタイミングが算出されるものとしたが、これに限定されない。例えば、ＣＰＵ２０は、網膜厚の測定結果と視力測定結果（例えば、自覚での視力検査結果、オートレフを用いた他覚検査結果）に関して、転換点後の測定結果に基づく推定曲線を算出してもよい。ＣＰＵ２０は、網膜厚の測定結果と視力結果における推定曲線の少なくともいずれかの推定結果に基づいて適正投薬時期を算出するようにしてもよい。ＣＰＵ２０は、投薬適正期間Ｓに対応する投薬スケジュールを算出するため、視力の変化を示す変化曲線を取得する。
【００６４】
また、ＣＰＵ２０は、網膜厚の測定結果と視野測定結果（例えば、視野計において視野の評価に用いられる各種パラメータ）に関して、転換点後の測定結果に基づく推定曲線を算出してもよい。ＣＰＵ２０は、網膜厚の測定結果と視野測定結果における推定曲線の少なくともいずれかの推定結果に基づいて適正投薬時期を算出するようにしてもよい。ＣＰＵ２０は、投薬適正期間Ｓに対応する投薬スケジュールを算出するため、視野の変化を示す変化曲線を取得する。
【００６５】
投薬タイミングの設定手法として、ＣＰＵ２０は、ある網膜厚を基準として適正投薬日を導出し、導出された適正投薬日に対応する日に対する前後の一定期間（例えば、前後１週間）を投薬適正期間ＰＴとして設定するようにしてもよい。
【００６６】
なお、推定網膜厚を算出する場合、ＣＰＵ２０は、多数の患者眼の網膜厚の変化が蓄積されたデータベースを利用して、転換点Ｂ後の網膜厚の変化を回帰させた回帰線を算出してもよい。回帰線は、個人差に応じて複数算出され、記憶装置３０に記憶される。ＣＰＵ２０は、記憶装置３０に記憶された複数の回帰線から眼Ｅの網膜厚の変化情報に近似する回帰線を推定網膜厚情報として特定する。ＣＰＵ２０は、特性された回帰線において，推定網膜厚が許容範囲Ａ１を満たす適正投薬時期ＰＴを求める。
【００６７】
なお、上記実施形態において、複数の治療薬に対応するため、治療薬毎に多数の患者眼の網膜厚に関する時系列データが蓄積されることが好ましい。この場合、治療薬の種類が入力部４から入力される。治療薬によって、網膜に対する作用（急激に網膜厚を縮小させる効用の薬、ゆるやかに比例的に網膜厚を縮小させる効用の薬、がある）が異なるためである。もちろんある治療薬に関するスケジュールを作成する構成であってもよい。
【００６８】
なお、以上の説明において、治療薬によるスケジュール作成を例にとって説明したが、これに限定されない。例えば、ＴＴＴ、ＰＤＴ、光凝固を組み合わせたスケジュール作成を行うようにしてもよい。なお、上記外科的に治療を行った場合、網膜が収縮し、通常の網膜厚に移行することが想定されるが、外科的治療後の網膜厚の転換点を基準として、前述のように近似曲線を算出してもよい。
【００６９】
なお、以上の説明においては、ＡＭＤの治療を例にとって説明したが、これに限定されない。すなわち、眼底に係る治療処置に関するスケジュールを作成する構成であればよい。例えば、緑内障の処置スケジュールを作成する装置においても、上記手法の適用が可能である。
【００７０】
＜実施例２＞
以下に、緑内障を処置するためのスケジュールの作成手法の一例を示す。
【００７１】
緑内障の進行度を区分けする場合、網膜神経線維層、神経節細胞層の厚みが計測され、計測結果が正常眼データベースと比較されることにより、緑内障の進行度が判別される。網膜神経線維層〜神経節細胞層〜内膜状層までの厚みについて、経過観察が行われてもよい。
【００７２】
なお、緑内障の場合、緑内障が進行するにつれて、網膜厚が薄くなる傾向にある。そこで、図５に示すように、ＣＰＵ２０は、推定網膜厚に関して許容範囲Ａ２を満たす期間を適正投薬期間ＰＴとして設定する。
【００７３】
＜再投薬タイミングの推定処理＞
概して、ＣＰＵ２０は、記憶部３に記憶された網膜厚の変化情報と記憶部５に記憶された処置情報に基づいて、緑内障治療薬の再投薬のタイミングを推定し、その推定結果を出力する。
【００７４】
例えば、ＣＰＵ２０は、後の網膜厚の変化を推測するため、転換点Ｃから現在までの網膜厚の変化曲線を近似処理することにより，転換点Ｃから将来のある時点（例えば、３ヶ月後）までの網膜厚の近似曲線を求める（図３の点線Ｋ参照）。ＣＰＵ２０は、取得された近似曲線において，推定網膜厚が許容範囲Ａ２を満たす適正投薬時期ＰＴを求める。
【００７５】
＜適正投薬時期ＰＴ＞
許容範囲Ａ２は、例えば、以下のように設定される。ＣＰＵ２０は、許容範囲Ａ２の上限値Ａｕ、下限値Ａｄを設定するため、正常眼データベース１５を参照する。適正投薬時期ＰＴは、緑内障の症状が悪化する前段階であることが好ましく、網膜厚が所定の下限値を上回っているレベルに対応する時期であることが好ましい。さらに、好ましくは、緑内障の症状が安定的と診断されるレベルに対応する時期であることが好ましい。
【００７６】
例えば、許容範囲Ａ２の下限値Ａｄは、緑内障の症状が悪化段階に移行する前段階であって、かつ、投薬が必要とされる網膜厚の下限値に対応するように設定される。
【００７７】
例えば、悪化段階は、眼圧の上昇、視力の悪化などが再び進行することによって、処方前の段階に戻った状態を目安とする。したがって、網膜厚が下限値Ａｄを下回る場合、緑内障は悪化段階に入ったとみなされる。網膜厚が下限値Ａｄを上回る場合、網膜厚は、緑内障の悪化段階の前段階である。
【００７８】
許容範囲Ａ２の上限値Ａｕは、緑内障の症状が悪化段階に移行するより一定期間前段階であって、かつ、投薬が必要とされる網膜厚の上限値に対応するように設定される。網膜厚が上限値Ａｕを上回っている場合、網膜厚がほぼ正常であるため、治療薬の効果が十分に継続しているとみなされる。この段階において、緑内障は小康状態にある。この段階での投薬は、必ずしも必要ではなく、過度の投薬となってしまう可能性があるため、投薬は控えた方が好ましい。
【００７９】
網膜厚が許容範囲Ａ２を満たす場合、治療薬の効果が弱まることにより、網膜厚は、異常値に近い状態にある。緑内障は、悪化の前段階であり、かつ、近いうちに悪化段階に移行する可能性が高いとみなされる。
【００８０】
ＣＰＵ２０は、前述のように算出された近似曲線を用いて、推定網膜厚が許容範囲Ａ２を満たす期間を投薬適正時期ＰＴとして設定する。ＣＰＵ２０は、推定された適正投薬時期を示すグラフィックＰＴＧをグラフィックＧ１上に表示すると共に、適正投薬時期を示す文字情報Ｓ６を表示部１に表示する。文字情報Ｓ６は、例えば、投薬が好ましいとされる日、又は期間（例えば、＊＊月＊＊日〜＊＊月＊＊日）を示す。これらは、グラフィック・文字表示は、逆に、投薬が好ましくない時期を表示することにより間接的に適正時期を示してもよい。
【００８１】
グラフィックＰＴＧに関して、転換点Ｃ以降、推定網膜厚が上限値Ａｕに達する第１時期ＰＴ１は、適正投薬時期ＰＴの最終日として表示される。推定網膜厚が下限値Ａｄに達する第２時期ＰＴ２は、適正投薬時期ＰＴの初日として表示される。第１時期ＰＴ１から第２時期ＰＴ２までの期間が、投薬適正時期ＰＴとして示される。
【００８２】
検者は、表示部１に表示されたグラフィックＰＴ、文字情報Ｓ６を参考に、患者に対して次回の投薬タイミングを勧めることができる。このようなシステムは、患者によって治療効果にバラツキがあり、投薬時期の予測が難しい状況において、患者にとっての適正な時期に緑内障治療薬を投薬するために活用できるため、投薬時期の遅れ、投薬時期の早すぎを回避するための補助機能として用いられる。
【００８３】
なお、本発明においては、本実施形態に記載した装置に限定されない。例えば、上記実施形態の機能を行うソフトウェア（プログラム）をネットワークや各種記憶媒体を介して、システムあるいは装置に供給する。そして、システムあるいは装置のコンピュータ（例えば、ＣＰＵ等）がプログラムを読み出し、実行することも可能である。
【図面の簡単な説明】
【００８４】
【図１】本実施形態における網膜処置スケジュール作成装置の構成について説明する概略構成図である。
【図２】図２は、図１のＣＰＵがスケジュール作成用プログラムを実行することにより実現される機能をブロック展開して説明した図である。
【図３】図１の表示部によって表示されるグラフを例示した図である。
【図４】ＡＭＤ治療薬を投薬した後の網膜厚の変化に関するパターンを示す図である。
【図５】実施例２について説明するための図である。
【符号の説明】
【００８５】
１  表示部
４  入力部
２０  ＣＰＵ
３０  記憶装置
１５  正常眼データベース
【図１】
0005842436.tif 000002
【図２】
0005842436.tif 000003
【図３】
0005842436.tif 000004
【図４】
0005842436.tif 000005
【図５】
0005842436.tif 000006